【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
剛性フレームと、
前記フレームに装着された第一直線運動Ｘ軸ステージと、
前記第一軸ステージと平行に前記フレームに装着されかつ前記第一軸ステージとは独立して動作するように構成された第二直線運動Ｘ軸ステージと、
各前記直線Ｘ軸ステージ上で運動可能な印刷テーブルアセンブリと、
前記印刷テーブルアセンブリより上で前記直線Ｘ軸ステージと直角に前記フレームに装着された直線運動Ｙ軸ステージと、
前記Ｘ軸ステージに対し直角に直線運動するように前記直線Ｙ軸ステージに装着されたインクジェットノズルの配列と
を含む印刷機。
【請求項２】
各前記印刷テーブルアセンブリは、媒体保持板と、前記媒体を前記板に当てて確実に保持するために前記媒体保持板に枢着された開閉蓋とを含む請求項１に記載の印刷機。
【請求項３】
前記媒体保持板は隆起部を含み、前記蓋は前記隆起部と同一形状であってそれよりわずかに大きい窓を含む請求項２に記載の印刷機。
【請求項４】
前記直線運動Ｘ軸ステージおよび前記直線運動Ｙ軸ステージの少なくとも一つはリニアモータ駆動ステージである請求項１に記載の印刷機。
【請求項５】
各前記印刷テーブルアセンブリの少なくとも一部は真空テーブルである請求項１に記載の印刷機。
【請求項６】
前記インクジェットノズルはドロップオンデマンド型圧電インクジェットノズルまたは連続圧電インクジェットノズルを含む請求項１に記載の印刷機。
【請求項７】
各前記印刷テーブルアセンブリより上に配置され、かつ前記印刷テーブルアセンブリ上の媒体上のインクを硬化させるように構成された硬化ユニットをさらに含む請求項１に記載の印刷機。
【請求項８】
前記硬化ユニットは赤外線システムまたは温風送風ユニットである請求項７に記載の印刷機。
【請求項９】
各前記印刷テーブルアセンブリより上に配置され、かつ前記印刷テーブルアセンブリ上の媒体にアイロンをかけるように構成されたアイロンユニットをさらに含む請求項１に記載の印刷機。
【請求項１０】
デジタル印刷のために構成された請求項１に記載の印刷機。
【請求項１１】
前記印刷テーブルアセンブリは平坦な板である請求項１に記載の印刷機。
【請求項１２】
前記第一印刷テーブルアセンブリとは独立して前記直線Ｘ軸ステージ台上で運動可能な第二印刷テーブルアセンブリを含む請求項１に記載の印刷機。
【請求項１３】
前記印刷テーブルアセンブリは、媒体保持板と、前記媒体を前記板に当てて確実に保持するために前記媒体保持板に枢着された開閉蓋とを含む請求項１２に記載の印刷機。
【請求項１４】
表面に印刷するための印刷システムであって、
前記表面の選択された場所に印刷するように制御可能に装着されたプリントヘッドと、
印刷前に前記選択された場所を湿潤させるように装着された制御可能な湿潤化装置と
を含む印刷システム。
【請求項１５】
表面に印刷するための印刷システムであって、
少なくとも前記表面の一部に画像を印刷するように動作する少なくとも一つのインクアプリケータを含む少なくとも一つの印刷装置と、
液体インク組成物と前記表面の少なくとも一つの結合部位との結合を阻害することのできる湿潤化組成物を、印刷前に前記表面の前記一部の少なくとも一部分に塗布するように前記インクアプリケータと共に動作する少なくとも一つの液体アプリケータを含む少なくとも一つの湿潤化装置と
を含む印刷システム。
【請求項１６】
前記湿潤化組成物を前記表面の選択された部分に塗布するために前記少なくとも一つの液体アプリケータを制御するように動作する少なくとも一つの制御装置をさらに含む請求項１５に記載の印刷システム。
【請求項１７】
前記湿潤化組成物が前記液体アプリケータ内で乾燥するのを防止するように働く薄め液を担持する、少なくとも一つの収縮自在の槽をさらに含み、前記収縮自在の槽は前記液体アプリケータの下に配置され、オンデマンドで後退して前記液体アプリケータを露出させ、前記湿潤化組成物を前記表面に塗布させるように動作する請求項１５に記載の印刷システム。
【請求項１８】
剛性フレームと、
前記フレームに装着された直線運動Ｘ軸と、
印刷可能な媒体を支持するように働き、前記直線Ｘ軸上で運動可能な少なくとも一つのテーブルアセンブリと、
前記テーブルアセンブリより上で前記直線Ｘ軸と直角に前記フレームに装着されたブリッジと、
前記ブリッジに装着され、前記印刷可能な媒体上に湿潤化組成物を塗布するように働く少なくとも一つの液体アプリケータであって、前記湿潤化組成物が前記印刷可能な媒体の表面の少なくとも一つの結合部位と液体インク組成物の結合を阻害することができる少なくとも一つの液体アプリケータと、
前記印刷テーブルアセンブリより上で前記直線Ｘ軸ステージと直角に前記フレームに装着された直線運動Ｙ軸ステージと、
前記Ｘ軸ステージと直角に直線運動するように前記直線Ｙ軸ステージに装着された少なくとも一つのインクアプリケータと
をさらに含む請求項１５に記載の印刷システム。
【請求項１９】
剛性フレームと、
前記フレームに装着された第一直線運動Ｘ軸ステージと、
前記第一軸ステージと平行に前記フレームに装着され、かつ前記第一軸ステージから独立して動作するように構成された第二直線運動Ｘ軸ステージと、
各前記直線Ｘ軸で運動可能で印刷可能な媒体を支持するように働く少なくとも一つのテーブルアセンブリと、
前記テーブルアセンブリより上で前記直線Ｘ軸と直角に前記フレームに装着されたブリッジと、
前記Ｘ軸の各々の上で前記ブリッジに装着され、前記印刷可能な媒体上に湿潤化組成物を塗布するように働く少なくとも一つの液体アプリケータであって、前記湿潤化組成物が前記印刷可能な媒体の表面の少なくとも一つの結合部位と液体インク組成物の結合を阻害することができる少なくとも一つの液体アプリケータと、
前記印刷テーブルアセンブリの各々より上で前記直線Ｘ軸ステージと直角に前記フレームに装着された直線運動Ｙ軸ステージと、
前記Ｘ軸ステージと直角に直線運動するように前記直線Ｙ軸ステージに装着された少なくとも一つのインクアプリケータと
をさらに含む請求項１５に記載の印刷システム。
【請求項２０】
前記画像は写真である請求項１５に記載の印刷システム。
【請求項２１】
前記表面は、繊維性材料、多孔性材料、および前記液体インクに対し高い表面張力を有する材料の少なくとも一つから作られる請求項１５に記載の印刷システム。
【請求項２２】
印刷のための表面を作るための印刷前装置であって、印刷前に前記表面の選択された場所を湿潤するための制御可能な湿潤化装置を備える印刷前装置。
【請求項２３】
印刷のための表面を作るための印刷前装置であって、印刷前に前記表面の少なくとも一部にわたって湿潤化組成物を塗布するように動作する少なくとも一つの液体アプリケータを備える少なくとも一つの湿潤化装置を含み、前記湿潤化組成物は前記表面の少なくとも一つの結合部位と液体インク組成物との結合を阻害することができる印刷前装置。
【請求項２４】
下記工程を含む、表面に印刷する方法：
前記表面を準備する；
制御可能な湿潤化装置を使用して前記表面の選択された領域を湿潤化する；そして
制御可能に装着されたデジタル印刷ヘッドを使用して前記湿潤化された領域の少なくとも一部にわたって印刷する。
【請求項２５】
下記工程を含む、表面に印刷する方法：
印刷されるために前記表面を準備する；
前記表面の少なくとも一つの結合部位と液体インク組成物との結合を阻害することができる湿潤化組成物を、前記少なくとも一つの液体アプリケータを使用して印刷前に前記表面の少なくとも一部の上に塗布する；そして
少なくとも一つのインクアプリケータを使用して前記湿潤化された表面の少なくとも一部の上に画像の印刷を実行する。
【請求項２６】
前記印刷工程の実行前に前記湿潤化組成物を硬化する工程、及び前記印刷工程の実行後に前記インクを硬化する工程の少なくとも一つをさらに含む請求項２５に記載の表面を印刷する方法。
【請求項２７】
前記表面を湿潤化する工程を実行する前に前記表面にアイロンをかける工程をさらに含む請求項２５に記載の表面を印刷する方法。